(57)【特許請求の範囲】
【請求項１】
上流装置から送信され、それぞれの波長が異なる複数の主信号光が多重化された波長多重信号光に基づいて、予め定められた複数の波長帯域のそれぞれにおける前記複数の主信号光のパワーを示すパワー情報を生成するパワー情報生成部と、
前記複数の波長帯域のそれぞれに含まれる主信号光の数を特定する信号光特定情報に基づいて、前記パワー情報が示す前記波長帯域におけるパワーを当該波長帯域に含まれる主信号光の数に応じて調整した調整済みパワー情報を生成するパワー情報調整部と、
前記調整済みパワー情報が示す前記複数の波長帯域のそれぞれにおけるパワーに基づいて、前記波長多重信号光のチルト量を算出し、算出したチルト量と目標とするチルト量の差に基づいて、前記波長多重信号光のチルトを補正する補正量を算出する補正量算出部と、
前記補正量に基づいて、前記波長多重信号光のチルトを補正する信号光補正部と、を備え、
前記補正量算出部は、前記パワーを縦軸とし、前記波長を横軸とした座標系をとった場合に、前記複数の波長帯域の少なくとも２つ以上について、前記座標系に配置された複数の座標から得られる直線を前記波長多重信号光のチルトとして算出するとともに、当該直線の傾きを前記波長多重信号光のチルト量として算出する、
信号光補正装置。
【請求項２】
前記波長帯域は、前記主信号光を複数含み、
前記パワー情報調整部は、前記波長帯域におけるパワーを１主信号光あたりの平均的な平均パワーに調整する請求項１に記載の信号光補正装置。
【請求項３】
前記複数の座標は、前記波長帯域の中心波長と当該波長帯域における平均パワーとを組として前記座標系に配置された複数の座標である請求項２に記載の信号光補正装置。
【請求項４】
前記信号光補正部は、前記チルトを補正した波長多重信号光を下流装置に送信し、
前記パワー情報生成部は、前記信号光補正部が下流装置に送信する波長多重信号光に基づいて、前記パワー情報を生成する請求項１乃至３のいずれか１項に記載の信号光補正装置。
【請求項５】
前記パワー情報調整部は、前記上流装置から送信された信号光特定情報に基づいて、前記調整済みパワー情報を生成する請求項１乃至４のいずれか１項に記載の信号光補正装置。
【請求項６】
前記信号光補正装置は、上位装置から送信され、前記波長多重信号光と前記信号光特定情報を含む信号光有無信号とが多重化された伝送信号光を、前記波長多重信号光と、前記信号光有無信号とに分波する信号光有無信号分波部をさらに備え、
前記パワー情報生成部は、前記伝送信号光から分波された波長多重信号光に基づいて、前記パワー情報を生成し、
前記パワー情報調整部は、前記伝送信号光から分波された信号光有無信号に含まれる信号光特定情報に基づいて、前記調整済みパワー情報を生成する請求項５に記載の信号光補正装置。
【請求項７】
前記信号光補正装置は、前記波長多重信号光に基づいて、前記信号光特定情報を生成する信号光特定情報生成部をさらに備えた請求項１乃至４のいずれか１項に記載の信号光補正装置。
【請求項８】
前記信号光補正装置は、前記波長多重信号光を分配する波長多重信号光分配部をさらに備え、
前記信号光特定情報生成部は、前記波長多重信号光分配部によって波長多重信号光から分配された波長多重信号光に基づいて、前記信号光特定情報を生成する請求項７に記載の信号光補正装置。
【請求項９】
上流装置から送信され、それぞれの波長が異なる複数の主信号光が多重化された波長多重信号光に基づいて、予め定められた複数の波長帯域のそれぞれにおける前記複数の主信号光のパワーを示すパワー情報を生成するステップと、
前記複数の波長帯域のそれぞれに含まれる主信号光の数を特定する信号光特定情報に基づいて、前記パワー情報が示す前記波長帯域におけるパワーを当該波長帯域に含まれる主信号光の数に応じて調整した調整済みパワー情報を生成するステップと、
前記調整済みパワー情報が示す前記複数の波長帯域のそれぞれにおけるパワーに基づいて、前記波長多重信号光のチルト量を算出し、算出したチルト量と目標とするチルト量の差に基づいて、前記波長多重信号光のチルトを補正する補正量を算出するステップと、
前記補正量に基づいて、前記波長多重信号光のチルトを補正するステップと、を備え、
前記補正量を算出するステップでは、前記パワーを縦軸とし、前記波長を横軸とした座標系をとった場合に、前記複数の波長帯域の少なくとも２つ以上について、前記座標系に配置された複数の座標から得られる直線を前記波長多重信号光のチルトとして算出するとともに、当該直線の傾きを前記波長多重信号光のチルト量として算出する、
信号光補正方法。
【発明の詳細な説明】
【技術分野】
【０００１】
本発明は、信号光補正装置及び信号光補正方法に関し、特に複数の信号が多重化された波長多重信号のチルト量を補正する技術に関する。
【背景技術】
【０００２】
図８を参照して、波長分割多重伝送装置の一例について説明する。図８は、波長分割多重伝送装置の一例を示す図である。図８に示す波長分割伝送装置９は、光増幅器９０、９２及びアッテネータ９１を有する。
【０００３】
光増幅器９０は、上流側の伝送路から伝送された波長多重信号光を受ける。光増幅器９０は、伝送路から受けた波長多重信号光を一定のゲインで増幅する。具体的には、光増幅器９０は、波長多重信号光に含まれる複数の主信号光のそれぞれを一定のゲインで増幅する。例えば、ゲインが１０ｄＢである場合、光増幅器９０は、０ｄＢｍの主信号を１０ｄｂｍに増幅し、−１ｄＢｍの主信号を９ｄＢｍに増幅する。光増幅器９０は、増幅した波長多重信号光をアッテネータ９１に出力する。
【０００４】
アッテネータ９１は、光増幅器９０から出力された波長多重信号光を光減衰することによって、波長多重信号光のチルトを補正する。アッテネータ９１は、適切なチルトとなるように、設計上の固定値によって、波長多重信号光を補正する。ここで、チルトとは、波長多重信号光において、長波長もしくは短波長になるにつれて主信号光のパワーが低下もしくは上昇する特性を直線とみなしたときの傾きのことである。アッテネータ９１は、チルトを補正した波長多重信号光を光増幅器９２に出力する。
【０００５】
光増幅器９２は、アッテネータ９１から出力された波長多重信号光が常に一定のパワーとなるように増幅する。具体的には、光増幅器９２は、波長多重信号光に含まれる複数の主信号光を合計したパワーが常に一定のパワーとなるように、波長多重信号光のパワーを増幅する。光増幅器９２は、増幅した波長多重信号光を下流側の伝送路に伝送する。
【０００６】
ここで、下流の装置は、主信号光のパワーが大きすぎても、小さすぎても、主信号光を正常に認識することができない。波長分割伝送装置９は、上述したように、波形多重化信号光を適切なチルトに補正して、常に一定のパワーに増幅することによって、下流の装置が主信号光を認識することができるパワーとなるようにしている。
【０００７】
しかし、上述した波長分割多重伝送装置は、設計上の固定値でしかチルトを補正していない。そのため、波長多重信号光が想定外のチルトとなっていた場合に、波長多重信号光を適切なチルトまで補正することができず、波長多重信号光に含まれる主信号光間でパワーの差が生じてしまっていた。つまり、パワーが大きくなりすぎた主信号光と、パワーが小さくなりすぎた主信号光が発生してしまっていた。さらに、パワーが小さくなりすぎた主信号光は、ノイズの影響が大きくなってしまうため、信号雑音比(Ｓ／Ｎ比)が劣化してしまう。したがって、上述した波長分割多重伝送装置は、波長多重信号光の伝送品質が劣化し、下流の装置に波長多重信号光を正常に伝送することができないという問題がある。
【０００８】
特許文献１には、各中継器における光アンプの入力パワーをモニタした値を示す入力モニタ情報から、所定の数式を使用して利得チルト量を推定することによって、可変利得補償器の最適な利得補償量を算出する技術が開示されている。
【０００９】
また、特許文献１には、可変利得補償器の補償量を算出可能とするチルト量モニタも開示されている。図９にチルト量モニタの構成を示す。チルト量モニタは、カプラ１０１、可変利得補償器１０２、制御回路１０３、分波器１０４及びモニタＰＤ１０５、１０６を有する。カプラ１０１は、信号光の一部を分岐して分波器１０４に出力する。分波器１０４は、カプラ１０１から出力された信号光を、動的利得チルト特性の支点よりも、短波長側の信号光λ１と、長波長側の信号光λ２に分波する。分波器１０４は、分波によって得られた信号光λ１、λ２のそれぞれをモニタＰＤ１０５、１０６に出力する。モニタＰＤ１０５、１０６は、信号光λ１、λ２のそれぞれを信号パワーに比例した信号パワー情報Ｐ１、Ｐ２に変換して制御回路１０３に出力する。制御回路１０３は、信号パワー情報Ｐ１と信号パワー情報Ｐ２を比較して、チルトの傾きの符号と、チルトの傾きの絶対量とを算出する。そして、制御回路１０３は、可変利得補償器の補償量を算出する。
【００１０】
しかし、特許文献１には、運用状態が変化して、波長多重信号光に多重化された信号光の数が変更された場合に、変更後の信号光の数に応じてチルトを算出する技術は開示されていない。つまり、特許文献１に開示の技術では、波長多重信号光に含まれる信号光の数が変更された場合に、正しいチルトを算出することができなくなってしまう。そのため、適切な補償量を算出することができなくなり、波長多重信号光の伝送品質を向上することができなくなってしまうという問題がある。
【先行技術文献】
【特許文献】
【００１１】
【特許文献１】特開２００３−２９８５２９号公報
【発明の概要】
【発明が解決しようとする課題】
【００１２】
背景技術として説明した技術では、波長多重信号光に多重化された信号光の数が変更された場合に、波長多重信号光の伝送品質を向上することができなくなってしまうという問題がある。
【００１３】
本発明の目的は、上述したような課題を解決するために、波長多重信号光に多重化された信号光の数が変更された場合であっても、波長多重信号光の伝送品質を向上することができる信号光補正装置及び信号光補正方法を提供することにある。
【課題を解決するための手段】
【００１４】
本発明の第１の態様にかかる信号光補正装置は、上流装置から送信され、それぞれの波長が異なる複数の主信号光が多重化された波長多重信号光に基づいて、予め定められた複数の波長帯域のそれぞれにおける前記複数の主信号光のパワーを示すパワー情報を生成するパワー情報生成部と、前記複数の波長帯域のそれぞれに含まれる主信号光の数を特定する信号光特定情報に基づいて、前記パワー情報が示す前記波長帯域におけるパワーを当該波長帯域に含まれる主信号光の数に応じて調整した調整済みパワー情報を生成するパワー情報調整部と、前記調整済みパワー情報が示す前記複数の波長帯域のそれぞれにおけるパワーに基づいて、前記波長多重信号光のチルト量を算出し、算出したチルト量と目標とするチルト量の差に基づいて、前記波長多重信号光のチルトを補正する補正量を算出する補正量算出部と、前記補正量に基づいて、前記波長多重信号光のチルトを補正する信号光補正部と、を備えたものである。
【００１５】
本発明の第２の態様にかかる信号光補正方法は、上流装置から送信され、それぞれの波長が異なる複数の主信号光が多重化された波長多重信号光に基づいて、予め定められた複数の波長帯域のそれぞれにおける前記複数の主信号光のパワーを示すパワー情報を生成するステップと、前記複数の波長帯域のそれぞれに含まれる主信号光の数を特定する信号光特定情報に基づいて、前記パワー情報が示す前記波長帯域におけるパワーを当該波長帯域に含まれる主信号光の数に応じて調整した調整済みパワー情報を生成するステップと、  前記調整済みパワー情報が示す前記複数の波長帯域のそれぞれにおけるパワーに基づいて、前記波長多重信号光のチルト量を算出し、算出したチルト量と目標とするチルト量の差に基づいて、前記波長多重信号光のチルトを補正する補正量を算出するステップと、前記補正量に基づいて、前記波長多重信号光のチルトを補正するステップと、を備えたものである。
【発明の効果】
【００１６】
上述した本発明の各態様により、波長多重信号光に多重化された信号光の数が変更された場合であっても、波長多重信号光の伝送品質を向上することができる信号光補正装置及び信号光補正方法を提供することができる。
【図面の簡単な説明】
【００１７】
【図１】本発明の実施の形態にかかる信号光補正装置の構成図である。
【図２】本発明の実施の形態にかかる波長分割多重伝送装置の構成図である。
【図３】本発明の実施の形態にかかる波長分割多重伝送装置のチルト補正処理を説明するための構成図である。
【図４】本発明の実施の形態にかかる波長分割多重伝送装置のチルト補正処理を示すフローチャートである。
【図５】本発明の実施の形態にかかる波長多重信号光のチルト補正量算出処理を説明するための図である。
【図６】本発明の実施の形態にかかる波長多重信号光のチルト補正量算出処理を説明するための図である。
【図７】本発明の他の実施の形態にかかる波長分割多重伝送装置の構成図である。
【図８】波長分割伝送装置の一例を示す図である。
【図９】チルト量モニタの構成図である。
【発明を実施するための形態】
【００１８】
まず、図１を参照して、本発明の実施の形態にかかる波長分割多重伝送装置の概要となる信号光補正装置について説明する。図１は、本発明の実施の形態にかかる信号光補正装置の構成図である。
信号光補正装置５は、パワー情報生成部５１、パワー情報調整部５２、補正量算出部５３及び信号光補正部５４を有する。
【００１９】
パワー情報生成部５１は、上流装置から送信された波長多重信号光に基づいて、予め定められた複数の波長帯域のそれぞれにおける複数の主信号光のパワーを示すパワー情報を生成する。波長多重信号光は、それぞれの波長が異なる複数の主信号光が多重化された信号光である。
パワー情報調整部５２は、信号光特定情報に基づいて、パワー情報が示す波長帯域におけるパワーをその波長帯域に含まれる主信号光の数に応じて調整した調整済みパワー情報を生成する。信号光特定情報は、複数の波長帯域のそれぞれに含まれる主信号光の数を特定する情報である。
【００２０】
補正量算出部５３は、調整済みパワー情報が示す複数の波長帯域のそれぞれにおけるパワーに基づいて、波長多重信号光のチルト量を算出し、算出したチルト量と目標とするチルト量の差に基づいて、波長多重信号光のチルトを補正する補正量を算出する。
信号光補正部５４は、補正量に基づいて、波長多重信号光のチルトを補正する。
【００２１】
続いて、本発明の実施の形態にかかる信号光補正装置の処理について説明する。
パワー情報生成部５１は、上流装置から送信された波長多重信号光に基づいて、予め定められた複数の波長帯域のそれぞれにおける複数の主信号光のパワーを示すパワー情報を生成する。パワー情報生成部５１は、生成したパワー情報をパワー情報調整部５２に出力する。
【００２２】
パワー情報調整部５２は、パワー情報生成部５１から出力されたパワー情報を調整した調整済みパワー情報を生成する。具体的には、パワー情報調整部５２は、信号光特定情報に基づいて、パワー情報が示す波長帯域におけるパワーをその波長帯域に含まれる主信号光の数に応じて調整した調整済みパワー情報を生成する。パワー情報調整部５２は、生成したパワー情報を補正量算出部５３に出力する。
【００２３】
補正量算出部５３は、パワー情報調整部５２から出力された調整済みパワー情報によって示される複数の波長帯域のそれぞれにおけるパワーに基づいて、波長多重信号光のチルト量を算出する。補正量算出部５３は、算出したチルト量と目標とするチルト量の差に基づいて、波長多重信号光のチルトを補正する補正量を算出する。補正量算出部５３は、算出した補正量を信号光補正部５４に出力する。
【００２４】
信号光補正部５４は、補正量算出部５３から出力された補正量に基づいて、波長多重信号光のチルトを補正する。
【００２５】
以上に説明したように、本実施の形態にかかる信号光補正装置５は、波長多重信号光に基づいて生成したパワー情報に基づいて、波長多重信号光のチルト量を算出している。そして、信号光補正装置５は、算出したチルト量と目標とするチルト量の差に基づいて、波長多重信号光のチルトを補正するようにしている。これによれば、設計上の固定値ではなく、波長多重信号光のチルト量に応じて補正をすることができる。つまり、波長多重信号光が想定外のチルトとなっていた場合であっても、波長多重信号光を適切なチルトまで補正することができる。
【００２６】
また、本実施の形態にかかる信号光補正装置５は、信号光特定情報に基づいて、パワー情報を調整してから、波長多重信号光のチルト量を算出するようにしている。これによれば、波長多重信号光に多重化された信号光の数が変更された場合であっても、正しいチルトを算出することができる。したがって、本実施の形態にかかる信号光補正装置によれば、波長多重信号光に多重化される信号光の数が変更された場合であっても、波長多重信号光の伝送品質を向上することができる。
【００２７】
続いて、図２を参照して、本発明の実施の形態にかかる波長分割多重伝送装置の構成について説明する。図２は、本発明の実施の形態にかかる波長分割多重伝送装置の構成図である。
【００２８】
波長分割多重伝送装置１は、ＷＤＭ（Wavelength Division Multiplexing）カプラ１０、監視光受信部１１、光増幅器１２、１４、アッテネータ１３、分岐カプラ１５、光分波部１６、受光部１７、Ｉ／Ｖ変換部１８ａ〜１８ｄ及びデータ処理部１９を有する。
【００２９】
波長分割多重伝送装置１は、上流の装置（図示せず）から伝送された波長多重信号光を受ける。波長多重信号光は、それぞれの波長が異なる複数の主信号光が多重化された信号光である。上流の装置は、例えば、波長多重信号光を生成して伝送路に伝送する装置である。波長分割多重伝送装置１は、波長多重信号光のチルトを補正して下流の装置（図示せず）に伝送する。波長分割多重伝送装置１は、例えば、波長多重信号光を中継する装置である。
【００３０】
厳密には、波長分割多重伝送装置１は、波長多重信号光を、波長多重信号光と監視光とが多重化された伝送信号光として受ける。監視光は、波長多重信号光に主信号光が含まれ得る複数の波長のそれぞれについて、波長多重信号光に主信号光が含まれるか否かを示す信号有無情報を含む。なお、監視光の波長帯域は、波長多重信号光とは異なる波長帯域である。上流の装置は、例えば、波長多重信号光を生成するときに、波長多重信号光の内容に応じて信号有無情報を含む監視光を生成する。上流の装置は、監視光と波長多重信号光とを多重化した伝送信号光を生成して波長分割多重伝送装置１に伝送する。
【００３１】
ＷＤＭカプラ１０は、伝送路より受けた伝送信号光を、波長多重信号光と監視光とに分波する。ＷＤＭカプラ１０は、波長多重信号光を光増幅器１２に出力する。ＷＤＭカプラ１０は、監視光を監視光受信部１１に出力する。
【００３２】
監視光受信部１１は、ＷＤＭカプラ１０から出力された監視光から、信号有無情報を生成する。監視光受信部１１は、監視光を電流に変換する。監視光受信部１１は、監視光が変換された電流を電圧に変換する。監視光受信部１１は、監視光から変換された電圧をＡ／Ｄ変換して、信号有無情報を生成する。監視光受信部１１は、例えば、これらの変換を行う受光素子、Ｉ／Ｖ変換アンプ及びＡ／Ｄコンバータを含む。監視光受信部１１は、生成した信号有無情報をデータ処理部１９に出力する。
【００３３】
光増幅器１２は、ＷＤＭカプラ１０から出力された波長多重信号光を一定のゲインで光増幅する。光増幅器１２は、光増幅した波長多重信号光をアッテネータ１３に出力する。
アッテネータ１３は、光増幅器１２から出力された波長多重信号光を光減衰することによって、波長多重信号光のチルトを補正する。なお、アッテネータ１３は、データ処理部１９からの制御に応じた補正量で波長多重信号光のチルト量を補正する。また、アッテネータ１３は、波長多重信号光のチルトの傾きを補正することによって、波長多重信号光のチルトを補正する。アッテネータ１３は、チルトを補正した波長多重信号光を光増幅器１４に出力する。
【００３４】
光増幅器１４は、アッテネータ１３から出力された波長多重信号光が常に一定のパワーとなるように増幅する。光増幅器１４は、増幅した波長多重信号光を分岐カプラ１５に伝送する。
【００３５】
分岐カプラ１５は、光増幅器１４から出力された波長多重信号光を、２つの波長多重信号光に分配する。分岐カプラ１５は、分配した２つの波長多重信号光のうち、１つの波長多重信号光を伝送路に伝送する。分岐カプラ１５は、他方の波長多重信号光を光分波部１６に出力する。
【００３６】
光分波部１６は、波長多重信号光を複数の波長帯域毎の信号光に分波する。なお、本実施の形態では、波長多重信号光に４０波（４０チャンネル（以下、「チャンネル」を「ＣＨ」とする））の主信号光が多重化されている場合について例示する。また、本実施の形態では、光分波部１６が波長多重信号光を４つの波長帯域毎の信号光に分波する場合について例示する。光分波部１６は、分波によって得られた４つの信号光を４つの出力ポートから受光部１７に出力する。以降、この４つの出力ポートのそれぞれに対応する単位をポート１〜４として述べる。つまり、波長多重信号光を分波する４つの波長帯域のそれぞれは、４つのポートに対応する。具体的には、ポート１ではＣＨ１〜１０の主信号光が出力され、ポート２ではＣＨ１１〜２０の主信号光が出力され、ポート３ではＣＨ２１〜３０の主信号光が出力され、ポート４ではＣＨ３１〜４０の主信号光が出力される。光分波部１６は、例えば、ＷＤＭカプラを含む。
【００３７】
受光部１７は、光分波部１６から出力された信号光を電流に変換する。受光部１７は、ポート数の受光素子を有する。つまり、受光部１７は、ポート毎に信号光を電流に変換する。受光部１７は、変換によって生成した電流をＩ／Ｖ変換部１８に出力する。
【００３８】
Ｉ／Ｖ変換部１８ａ〜１８ｄは、受光部１７から出力された電流を電圧に変換する。Ｉ／Ｖ変換部１８ａ〜１８ｄは、変換によって生成した電圧をＡ／Ｄ変換して受光パワー情報を生成する。Ｉ／Ｖ変換部１８ａ〜１８ｄは、例えば、これらの変換を行うＩ／Ｖ変換アンプ及びＡ／Ｄコンバータを含む。Ｉ／Ｖ変換部１８ａ〜１８ｄは、生成した受光パワー情報をデータ処理部１９に出力する。受光パワー情報は、１つのポートに含まれる信号光のパワーを合計したトータルパワーをポート毎に示す情報となる。
【００３９】
データ処理部１９は、Ｉ／Ｖ変換部１８から出力された受光パワー情報と、監視光受信部１１から出力された信号有無情報と、に基づいて、１波長あたりの平均パワーをポート毎に算出する。言い換えると、データ処理部１９は、１主信号光あたりの平均パワーをポート毎に算出する。データ処理部１９は、算出したポート毎の平均パワーに基づいて、波長多重信号光のチルトを算出する。
【００４０】
具体的には、パワーを縦軸とし、波長を横軸とした座標系をとった場合に、複数のポートの少なくとも２つ以上について、ポートに対応する波長帯域の中心波長とその波長帯域における平均パワーとを組として座標系に配置された複数の座標に基づいてチルト量を算出する。データ処理部１９は、算出したチルト量と、目標とするチルト量とを照合して、波長多重信号光のチルトを補正する補正量を算出する。補正量は、算出したチルト量と、目標とするチルト量との差分を無くすように決定される。データ処理部１９は、算出した補正量で波長多重信号光のチルトを補正するようにアッテネータ１３を制御する。データ処理部１９は、例えば、上述した処理を実行する回路である。
【００４１】
続いて、図３〜図６を参照して、本発明の実施の形態にかかる波長分割多重伝送装置のチルト補正処理について説明する。図３は、本発明の実施の形態にかかる波長分割多重伝送装置のチルト補正処理を説明するための構成図である。図４は、本発明の実施の形態にかかる波長分割多重伝送装置のチルト補正処理を示すフローチャートである。図５及び図６は、本発明の実施の形態にかかる波長多重信号光のチルト算出を説明するための図である。
【００４２】
ＷＤＭカプラ１０は、伝送路より伝送信号光を受けると、受けた伝送信号光を波長多重信号光と監視光に分波する（Ｓ１、Ｓ２）。ＷＤＭカプラ１０は、分波した波長多重信号光を光増幅器１２に出力する。ＷＤＭカプラ１０は、分波によって得られた監視光を監視光受信部１１に出力する。
光増幅器１２は、ＷＤＭカプラ１０から出力されたＷＤＭカプラ１０から出力された波長多重信号光を一定のゲインで光増幅する（Ｓ１０）。光増幅器１２は、光増幅した波長多重信号光をアッテネータ１３に出力する。
【００４３】
アッテネータ１３は、光増幅器１２から出力された波長多重信号光を光減衰することによって、波長多重信号光のチルトを補正する（Ｓ１１）。アッテネータ１３は、チルト量を補正した波長多重信号光を光増幅器１４に出力する。アッテネータ１３は、アッテネータに限られず、任意の光減衰機能を有するデバイスであってもよい。
光増幅器１４は、アッテネータ１３から出力された波長多重信号光が常に一定のパワーとなるように増幅する（Ｓ１２）。光増幅器１４は、増幅した波長多重信号光を分岐カプラ１５に伝送する。
【００４４】
分岐カプラ１５は、光増幅器１４から出力された波長多重信号光を、２つの波長多重信号光に分配する（Ｓ１３）。分岐カプラ１５は、分配した２つの波長多重信号光のうち、１つの波長多重信号光を光分波部１６に出力する。
光分波部１６は、分岐カプラ１５から出力された波長多重信号光を、１０波長単位の信号光に分波する（Ｓ１４）。光分波部１６は、分波した信号光を４つの出力ポートから受光部１７に出力する。
【００４５】
受光部１７は、光分波部１６から出力された信号光を電流に変換する（Ｓ１５）。なお、受光部１７は、１０波長単位の４つの信号光を受け、受けた信号光のそれぞれを電流に変換する。受光部１７は、変換によって生成した電流をＩ／Ｖ変換部１８ａ〜１８ｄに出力する。
Ｉ／Ｖ変換部１８ａ〜１８ｄは、受光部１７から出力された電流を電圧に変更する（Ｓ１６）。Ｉ／Ｖ変換部１８ａ〜１８ｄは、変換によって生成した電圧をＡ／Ｄ変換して受光パワー情報を生成する。Ｉ／Ｖ変換部１８ａ〜１８ｄは、生成した受光パワー情報をデータ処理部１９に出力する。
【００４６】
監視光受信部１１は、ＷＤＭカプラ１０から出力された監視光から、信号有無情報を生成する。監視光受信部１１は、生成した信号有無情報をデータ処理部１９に出力する（Ｓ２０）。
データ処理部１９は、Ｉ／Ｖ変換部１８ａ〜１８ｄから受光パワー情報を入力し、監視光受信部１１から信号有無情報を入力する（Ｓ２１）。
【００４７】
データ処理部１９は、それぞれのポートについて、（１０波長単位分の信号光のトータルパワー）÷（存在する信号光の数）を算出することによって、ボート毎に１波長あたりの平均パワーを算出する（Ｓ２２、Ｓ２３）。具体的には、データ処理部１９は、信号有無情報に基づいて、４つのポートのそれぞれに含まれる主信号光の数を算出する。図５に例示するように、データ処理部１９は、４つのポートのそれぞれについて、受光パワー情報が示すポートのトータルパワーから、そのポートに含まれる主信号光の数を割ることによって、平均パワーを算出する。これによって、データ処理部１９は、ポートのそれぞれについて、ポートにおけるトータルパワーの１主信号光あたりの平均パワーを示す情報を算出する。
【００４８】
データ処理部１９は、縦軸をパワーとし、横軸を波長とした座標系をとった場合に、ポートに対応する波長帯域の中心波長とその波長帯域における平均パワーとを組として座標系に配置された複数の座標に基づいて、波長多重信号光の帯域内のチルト量を算出する（Ｓ２４）。
【００４９】
ここで、図６を参照して、データ処理部１９におけるチルト量の算出方法について説明する。図６は、同一の波長多重信号光において、平均パワーより算出したチルト３０と、実際のチルト量３１とを示している。ここで、平均パワーより算出するチルト量をａ(ｄＢ/ＣＨ)とし、平均パワーの最大値と最小値との差をΔＬとし、平均パワーが最大値の主信号光のＣＨを含むポートの中央のＣＨと、平均パワーが最小値のＣＨを含むポートの中央のＣＨとの間隔をΔλとする。データ処理部１９は、平均パワーより算出するチルト量ａを、ａ＝ΔL/Δλとして算出する。つまり、データ処理部１９は、縦軸をパワーとし、横軸を波長とした座標系をとった場合に、平均パワーが最大値及び最小値の波長帯域のそれぞれについて、波長帯域の中心波長とその波長帯域における平均パワーとを組として座標系に配置した座標を通る直線として、チルトを算出する。そして、データ処理部１９は、その直線の傾きをチルト量として算出する。
【００５０】
ここで、実際のチルト量３１をａ(ｔ)とした場合に、ａ(ｔ)−ａとして求められるチルト量の誤差が装置仕様を満たすように、ポート数及び各ポートの波長帯域幅を決定するようにするとよい。例えば、ポート数を少なくして、各ポートの波長帯域幅を大きくしすぎてしまった場合には、算出したチルト量ａと実際のチルト量ａ(ｔ)の誤差が大きくなってしまうことも考えられる。このようにしてチルト量の誤差が適切な補正量を算出することができなくなってしまう程度に大きくなってしまった場合には、波長多重信号光の伝送品質を十分に向上することができなくなってしまう。例えば、波長多重信号光の品質が悪化して、下流の装置が波長多重信号光を正常に認識することができなくなってしまう。つまり、このような影響が発生しない程度に、チルト量の誤差が小さくなるように、ポート数及び各ポートの波長帯域幅を決定するようにするとよい。
【００５１】
ここで、チルト量の算出方法は、上述した算出方法に限られない。データ処理部１９は、複数の波長帯域のそれぞれについて、波長帯域の中心波長とその波長帯域における平均パワーとを組として座標系に配置した複数の座標に基づいて、異なる算出方法によってチルトを算出するようにしてもよい。例えば、縦軸をパワーとし、横軸を波長とした座標系をとった場合に、４つのポートのそれぞれについて、ポートに対応する波長帯域の中心波長とその波長帯域における平均パワーとを組として座標系に配置した４つの座標に対する回帰直線をチルト３０として算出するようにしてもよい。
【００５２】
データ処理部１９は、算出したチルト量と、目標とするチルト量とを照合して、波長多重信号光のチルトを補正する補正量を算出する（Ｓ２５）。データ処理部１９は、算出した補正量で波長多重信号光のチルトを補正するようにアッテネータ１３を制御する。
【００５３】
以上に説明したように、本実施の形態では、上流装置から送信された信号光有無情報に基づいて、ポート毎のパワーを示す受光パワー情報から、各ポートの平均パワーを算出するようにしている。そして、本実施の形態では、各ポートの平均パワーに基づいて、縦軸をパワーとし、横軸を波長としたグラフによってチルトを算出するようにしている。つまり、波長多重信号光に多重化される主信号光の数が変更された場合であっても、正しいチルトを算出することができる。したがって、本実施の形態によれば、算出したチルト量に基づいて適切な補正量を算出することができるため、波長多重信号光に対して精度の高いチルト補正することができるようになる。
【００５４】
また、本実施の形態では、複数の主信号光を含む波長帯域毎に、平均パワーを算出してチルトを求めるようにしている。これによれば、受光部の受光素子(ＰＤ(Photo Detector))数を削減することができるため、コストを低減することができる。例えば、波長多重信号光が４０ＣＨである場合に、全ての主信号光のパワーを別々に算出するようにすると４０個の受光素子が必要となる。それに対して、例えば、本実施の形態のように、１０ＣＨ単位で主信号光からパワー情報を算出する場合は、４(４０ＣＨ/１０ＣＨ)個の受光素子のみ実装すればよい。
【００５５】
また、本実施の形態では、光増幅器１４から下流装置に送信された波長多重信号光に基づいて、チルトを補正するようにしている。つまり、アッテネータ１３によってチルトが補正された波長多重信号光に基づいて、補正量を算出するようにしている。これによれば、波長多重信号光の伝送品質をより向上することができる。
【００５６】
また、本実施の形態では、チルトの傾きを補正するアッテネータによってチルトを補正するようにしている。例えば、例えば、波長多重信号光が４０ＣＨである場合に、全ての主信号光のパワーを別々に光減衰して補正するようにすると４０個のアッテネータが必要となる。それに対して、本実施の形態によれば、チルトの傾きを補正するアッテネータを１つ有するのみでよい。したがって、アッテネータ数を削減することができるため、コストを低減することができる。
【００５７】
本発明の他の実施の形態．
続いて、図７を参照して、本発明の実施の形態にかかる波長分割多重伝送装置の構成について説明する。図７は、本発明の実施の形態にかかる波長分割多重伝送装置の構成図である。
【００５８】
波長分割多重伝送装置２は、上述した実施の形態にかかる波長分割多重伝送装置１と比較して、ＷＤＭカプラ１０に代わって分岐カプラ２０を有し、監視光受信部１１に代わって信号光監視部２１を有する。
【００５９】
分岐カプラ２０は、光増幅器１４から出力された波長多重信号光を、２つの波長多重信号光に分配する。分岐カプラ２０は、分配した２つの波長多重信号光のうち、１つの波長多重信号光を光増幅器１２に出力する。分岐カプラ２０は、他方の波長多重信号光を信号光監視部２１に出力する。
【００６０】
信号光監視部２１は、波長多重信号光に主信号光が含まれ得る複数の波長のそれぞれについて、分岐カプラ２０から出力された波長多重信号光に主信号光が含まれるか否かを判定する。信号光監視部２１は、例えば、光チャンネルモニタ(図示せず)を有する。信号光監視部２１は、光チャンネルモニタによって、波長多重信号光に主信号光が含まれるか否かを判定する。信号光監視部２１は、判定結果に基づいて、複数の波長のそれぞれについて、波長多重信号光に主信号光が含まれるか否かを示す信号有無情報を生成する。信号光監視部２１は、生成した信号有無情報をデータ処理部１９に出力する。
【００６１】
光増幅器１２〜データ処理部１９の処理は、上述した実施の形態と同様であるため、説明を省略する。ただし、本他の実施の形態では、光増幅器１２が分岐カプラ２０から出力された波長多重信号光を増幅し、データ処理部１９が信号光監視部２１から出力された信号有無情報に基づいて平均パワーを算出する。
【００６２】
以上に説明したように、本発明の他の実施の形態によれば、波長多重信号光に含まれる主信号光の数を波長分割多重伝送装置２内でカウントするようにして、信号光有無情報を生成するようにしている。そのため、本発明の他の実施の形態によれば、上流の装置は、信号光有無情報を含んだ監視光を波長分割多重伝送装置２に送信しなくてもよい。
【００６３】
なお、本発明は上記実施の形態に限られたものではなく、趣旨を逸脱しない範囲で適宜変更することが可能である。例えば、波長多重信号の波長帯域は、任意に変更してもよい。
【００６４】
本実施の形態では、波長多重信号光が４０ＣＨである場合について例示したが、これに限られない。例えば、波長多重信号光は、２ＣＨ以上の任意のＣＨ数であってもよい。また、本実施の形態では、光分波部が波長多重信号光を分波するポート数が４つの場合について例示したが、これに限られない。例えば、ポート数は、２ポート以上の任意の数であってもよい。また、本実施の形態では、１つのポートに、１０の信号光が含まれる場合について例示したが、これに限られない。
【００６５】
本実施の形態では、ポートに対応する波長単位毎に、１主信号光あたりの平均パワーを算出するようにしているが、正確な平均パワーを算出するようにしなくてもよい。例えば、算出結果から任意の桁を切り捨てる等して、１主信号光あたりの平均的なパワーを算出するようにしてもよい。
【００６６】
本実施の形態では、光分波部の各ポートの波長帯域がお互いにオーバーラップしていない場合について例示したが、オーバーラップするようにしてもよい。
【００６７】
本実施の形態では、複数の波長のそれぞれについて、波長多重信号光に主信号光が含まれるか否かを示す信号有無情報に基づいて、受光パワー情報を調整するようにしているが、これに限られない。受光パワー情報の調整は、信号有無情報のように、複数のポートのそれぞれに含まれる主信号光の数を特定する信号特定情報であれば、どのような情報を用いて行われても良い。例えば、信号特定情報は、複数のポートのそれぞれに含まれる主信号光の数を示す情報であってもよい。
【００６８】
上記の実施の形態の一部又は全部は、以下の付記のようにも記載されうるが、以下には限られない。
【００６９】
（付記１）上流装置から送信され、それぞれの波長が異なる複数の主信号光が多重化された波長多重信号光に基づいて、予め定められた複数の波長帯域のそれぞれにおける前記複数の主信号光のパワーを示すパワー情報を生成するパワー情報生成部と、前記複数の波長帯域のそれぞれに含まれる主信号光の数を特定する信号光特定情報に基づいて、前記パワー情報が示す前記波長帯域におけるパワーを当該波長帯域に含まれる主信号光の数に応じて調整した調整済みパワー情報を生成するパワー情報調整部と、前記調整済みパワー情報が示す前記複数の波長帯域のそれぞれにおけるパワーに基づいて、前記波長多重信号光のチルト量を算出し、算出したチルト量と目標とするチルト量の差に基づいて、前記波長多重信号光のチルトを補正する補正量を算出する補正量算出部と、前記補正量に基づいて、前記波長多重信号光のチルトを補正する信号光補正部と、を備えた信号光補正装置。
【００７０】
（付記２）前記波長帯域は、前記主信号光を複数含み、前記パワー調整部は、前記波長帯域におけるパワーを１主信号光あたりの平均的な平均パワーに調整する付記１に記載の信号光補正装置。
【００７１】
（付記３）前記補正量算出部は、前記パワーを縦軸とし、前記波長を横軸とした座標系をとった場合に、前記複数の波長帯域の少なくとも２つ以上について、前記波長帯域の中心波長と当該波長帯域における平均パワーとを組として前記座標系に配置された複数の座標に基づいてチルト量を算出する付記２に記載の信号光補正装置。
【００７２】
（付記４）前記信号光補正部は、前記チルトを補正した波長多重信号光を下流装置に送信し、前記パワー情報生成部は、前記信号光補正部が下流装置に送信する波長多重信号光に基づいて、前記パワー情報を生成する付記１乃至３のいずれか１項に記載の信号光補正装置。
【００７３】
（付記５）前記パワー情報調整部は、前記上流装置から送信された信号光特定情報に基づいて、前記調整済みパワー情報を生成する付記１乃至４のいずれか１項に記載の信号光補正装置。
【００７４】
（付記６）前記信号光補正装置は、上位装置から送信され、前記波長多重信号光と前記信号光特定情報を含む信号光有無信号とが多重化された伝送信号光を、前記波長多重信号光と、前記信号光有無信号とに分波する信号光有無信号分波部をさらに備え、前記パワー情報生成部は、前記伝送信号光から分波された波長多重信号光に基づいて、前記パワー情報を生成し、前記パワー情報調整部は、前記伝送信号光から分波された信号光有無信号に含まれる信号光特定情報に基づいて、前記調整済みパワー情報を生成する付記５に記載の信号光補正装置。
【００７５】
（付記７）前記信号光補正装置は、前記波長多重信号光に基づいて、前記信号光特定情報を生成する信号光特定情報生成部をさらに備えた付記１乃至４のいずれか１項に記載の信号光補正装置。
【００７６】
（付記８）前記信号光補正装置は、前記波長多重信号光を分配する波長多重信号光分配部をさらに備え、前記信号光特定情報生成部は、前記波長多重信号光分配部によって波長多重信号光から分配された波長多重信号光に基づいて、前記信号光特定情報を生成する付記７に記載の信号光補正装置。
【００７７】
（付記９）前記信号光補正部は、前記補正量に基づいて、前記波長多重信号光のチルトの傾きを補正するアッテネータを有する付記１乃至８のいずれか１項に記載の信号光補正装置。
【００７８】
（付記１０）前記パワー情報生成部は、前記波長多重信号光を分配するパワー情報生成分配部と、前記パワー情報生成分配部によって波長多重信号光から分配された波長多重信号光を前記複数の波長帯域毎の信号光に分波する波長多重信号光分波部と、前記波長多重信号光から分波された複数の信号光のそれぞれを光電変換することによって、前記パワー情報を生成する変換部と、を有する付記１乃至９のいずれか１項に記載の信号光補正装置。
【００７９】
（付記１１）前記信号光特定情報は、複数の波長のそれぞれについて、前記波長多重信号光に前記主信号光が含まれるか否かを示す信号有無情報である付記１乃至１０のいずれか１項に記載の信号光補正装置。
【符号の説明】
【００８０】
１、２、９    波長分割多重伝送装置
１０        ＷＤＭカプラ
１１        監視光受信部
１２、１４、９０、９２    光増幅器
１３、９１    アッテネータ
１５、２０    分岐カプラ
１６        光分波部
１７        受光部
１８        Ｉ／Ｖ変換部
１９        データ処理部
２１        信号光監視部
５１        パワー情報生成部
５２        パワー情報調整部
５３        補正量算出部
５４        信号光補正部
１０１        カプラ
１０２        可変利得補償器
１０３        制御回路
１０４        分波器
１０５、１０６    モニタＰＤ
【図１】
0005703611.tif 000002
【図２】
0005703611.tif 000003
【図３】
0005703611.tif 000004
【図４】
0005703611.tif 000005
【図５】
0005703611.tif 000006
【図６】
0005703611.tif 000007
【図７】
0005703611.tif 000008
【図８】
0005703611.tif 000009
【図９】
0005703611.tif 000010